(57)【要約】      （修正有）【課題】既に開口された詰め替えパウチの開口部を完全に閉じることが可能であり、かつ閉じる方向を変えることで、一定量の内容物が出るように調節できる留め具を提供する。【解決手段】袋開口部を開け閉め可能な留め具７は、レバーの部分４ａ，４ｂを押さえることによって挟み込み部５ａ，５ｂが開き、手を離すとバネ６の復元力によって、挟み込み部５ａ，５ｂが閉じる仕組みの洗濯バサミ状の留め具である。留め具７は、プラスチック部材７ａ、７ｂが組み合わされてなる。プラスチック部材７ａ、７ｂの挟み込み部５ａ，５ｂは、平たくした板の形状に成形され、かつ、その前部の幅が狭く後部の幅が広くされている。挟み込み部５ａ，５ｂの互いに対面する両表面に、プラスチック部材７ａ、７ｂの長手方向と直交する幅方向に延びる溝８ａ，８ｂが設けられている。【選択図】図１
0003183396.tif 000002
【実用新案登録請求の範囲】
【請求項１】
レバーを押さえることによって挟み込み部が開き、手を離すとバネの復元力によって該挟み込み部が閉じる仕組みの洗濯バサミ状の留め具であって、
２つの部材が組み合わされてなり、
双方の部材の前記挟み込み部は、平たくした板の形状に成形され、かつ、その前部の幅が狭く後部の幅が広くされており、
双方の前記挟み込み部の互いに対面する両表面に、前記部材の長手方向と直交する幅方向に延びる溝が設けられている、袋開口部を開け閉め可能な留め具。
【請求項２】
前記溝は、前記挟み込み部の略中央部分に設けられている請求項１に記載の、袋開口部を開け閉め可能な留め具。
【請求項３】
双方の部材の前記レバーの部分は、平たく成形されている請求項１又は２に記載の、袋開口部を開け閉め可能な留め具。
【考案の詳細な説明】
【技術分野】
【０００１】
本考案は一般に袋開口部を開け閉め可能な留め具に関するものであり、より特定的には、詰め替えパウチやその他包装袋の開口部に取り付けて一定量の内容物を取り出せるように改良された留め具に関する。
【背景技術】
【０００２】
容器で販売される製品の詰め替え用と称して、詰め替え用袋入り商品が市場に出ている。袋の形状について、袋の口部にキャップや口栓が付いた商品もあるが、製造コストが掛かるため、比較的高価な商品にしか使用されない。一方、安価な商品を対象として、図５（Ａ）に示すようなハーフカット線２の付いた詰め替えパウチ１が市場に出ている。図５（Ａ）と（Ｂ）に示すように、ハーフカット線２で切り取って、容器に詰め替えを行う。
【０００３】
しかしながら、ハーフカット線２の付いた詰め替えパウチ１に入った商品について、詰め替えを行わずに袋のままで引き続き使用する場合もある。そのような場合、図５（Ｂ）に示すように、開口部３が開いたままになるので、これを閉じる必要があるが、従来の洗濯バサミなどを留め具に用いて閉じると、幅が狭く端まで閉じきれない。また、開口部３が広い場合、内容物を出す際に一度に多く出てしまい、必要以上の量が出て無駄にしてしまうという問題点があった。
【０００４】
一方、洗濯バサミに関連する先行技術文献として、洗濯物を挟むのに適した改良技術は存在するが（例えば特許文献１，２など参照）、詰め替えパウチなどの袋入り商品の留め具に向けて改良した技術は見当たらない。
【先行技術文献】
【特許文献】
【０００５】
【特許文献１】特開２０１２−１６１５８０号公報
【特許文献２】特開２０１２−０７５８４５号公報
【考案の概要】
【考案が解決しようとする課題】
【０００６】
この考案は上記のような問題点を解決するためになされたもので、既に開口された詰め替えパウチの開口部に取り付けて、この開口部を完全に閉じることが可能であり、かつ閉じる方向を変えることで、一定量が出るように開口部の径を調節することが可能な留め具を提供することを目的とする。
【０００７】
この考案の他の目的は、詰め替えパウチ等の袋製品の販売時に、この留め具を景品としてつけることができるようにし、ＰＯＰ（Point of purchase advertising）広告としても利用できる、袋開口部を開け閉め可能な留め具を提供することにある。
【課題を解決するための手段】
【０００８】
本考案は、レバーを押さえることによって挟み込み部が開き、手を離すとバネの復元力によって該挟み込み部が閉じる仕組みの洗濯バサミ状の留め具であって、２つの部材が組み合わされてなる。双方の部材の挟み込み部は、平たくした板の形状に成形され、かつ、その前部の幅が狭く後部の幅が広くされている。双方の挟み込み部の互いに対面する両表面に、上記部材の長手方向と直交する幅方向に延びる溝が設けられている。
【０００９】
挟み込み部が平たくした板の形状に成形され、かつ、その前部の幅が狭く後部の幅が広くされているので、挟み込む部分を広くとることが可能になるため、例えば詰め替えパウチの広い口部を密閉出来る。
【００１０】
また上記溝は、上記挟み込み部の略中央部分に設けられているのが好ましい。このように構成することにより、９０度回転させて挟めば、開口部に溝の部分が開く形で当たるため、袋の胴部を押すことにより、溝の幅で開いた開口部から中身を、量を調整して取り出すことが出来る。
【００１１】
双方の部材の上記レバーの部分は、平たく成形されているのが好ましい。このように構成することにより、持ち手の部分が広くなり、ＰＯＰ・デカール等を設けることができる。
【考案の効果】
【００１２】
本考案の留め具によれば、挟み込み部の後部の幅が広いため、詰め替えパウチ等の袋の開口部を密閉することが可能となる。挟み込み部の互いに対面する両表面に幅方向に延びる溝が設けられているため、閉じる方向から９０度回転して留めなおすことにより、該溝に沿って中身を出すことが可能となる。挟み込み部の前部の幅が狭い形状のため、液だれしても留め具にかかりにくい。店頭での販売時、持ち手部分に宣伝文句や使用方法などを掲示できる。また、容器を使用する必要がなく、詰め替える際に中身をロスすることも無くなるため、廃棄物量の大幅減と、内容物の節約につながる。
【図面の簡単な説明】
【００１３】
【図１】（Ａ）は、本考案の実施例１に係る、袋開口部を開け閉めする留め具の斜視図であり、（Ｂ）はその平面図である。
【図２】本考案の実施例１に係る留め具の動作を説明する図である。
【図３】（Ａ）は、本考案の実施例２に係る留め具の斜視図であり、（Ｂ）は、詰め替えパウチに装着した図である
【図４】本考案の実施例３に係る留め具の斜視図である。
【図５】（Ａ）従来の詰め替えパウチの斜視図であり、（Ｂ）はハーフカット線で切断し、開口部を開いた時の斜視図である。
【考案を実施するための形態】
【００１４】
既に開口された詰め替えパウチの開口部に取り付けて、この開口部を完全に閉じることが可能であり、かつ閉じる方向を変えることで、一定量が出るように開口部の径を調節することが可能な留め具を得るという目的を、平たくした板の形状に成形され、かつ、その前部の幅が狭く後部の幅が広くされている一対の挟み込み部の互いに対面する両表面に、幅方向に延びる溝を形成することによって実現した。
【００１５】
以下、本考案の実施例を、添付図面を参照して説明する。なお、各図中、同一又は相当する部分には同一の参照番号を付し、その説明を繰り返さない。
【実施例１】
【００１６】
図１（Ａ）は、本考案の実施例１に係る、袋開口部を開け閉めする留め具の斜視図であり、図１（Ｂ）は平面図である。これらの図に示すように、本考案に係る留め具７は、レバー４ａ，４ｂを押さえることによって挟み込み部５ａ，５ｂが回動軸 ｍを中心に回動して開き、手を離すとバネ６の復元力によって逆方向に回動して、挟み込み部５ａ，５ｂが閉じる仕組みの洗濯バサミ状の留め具である。留め具７は、２つの部材、例えばそれぞれ樹脂で一体成型された一対のプラスチック部材７ａ，７ｂ（図中、上部と下部）が組み合わされてなる。双方のプラスチック部材７ａ，７ｂの挟み込み部５ａ，５ｂは、平たくした板の形状に成形されている。このようなプラスチック部材７ａ，７ｂは、例えば、金型の中に熱で溶けたプラスチックを高圧で流し込んで成形するという射出成形によって得られる。
【００１７】
挟み込み部５ａ，５ｂは、前部の幅が狭く後部の幅が広くされている。挟み込み部５ａ，５ｂの前端の幅は例えば２０ｍｍ〜４５ｍｍであり、後端の幅は例えば３５ｍｍ〜７５ｍｍであり、長さは例えば１５ｍｍ〜３０ｍｍ、厚みは例えば５ｍｍ〜８ｍｍである。挟み込み部５ａ，５ｂの互いに対面する両表面に、プラスチック部材７ａ，７ｂの長手方向と直交する幅方向に延びる溝８ａ，８ｂが設けられている。溝８ａ，８ｂは、挟み込み部５ａ，５ｂの略中央部分に設けられている。溝８ａ，８ｂの断面形状は、実施例では半楕円形状を例示したが、この形状に限られるものでない。双方の部材７ａ，７ｂのレバーの部分４ａ，４ｂは、平たく、例えば円板の形状に成形されている。円板の径は、例えば２０ｍｍ〜４５ｍｍである。挟み込み部５ａ，５ｂとレバーの部分４ａ，４ｂをつなぐ可動部の長さは例えば１５ｍｍ〜３０ｍｍである。これらの例示した寸法は、標準的なパウチの大きさ（現在は３００〜６００ｍｌ程度）を前提とした寸法であるが、本考案はこれに限られるものでなく、今後、パウチが大型化、小型化した場合に、留め具のサイズも大小設計するのが好ましい。
【００１８】
次に動作について説明する。
【００１９】
図２（Ａ）に示すように、挟み込み部５ａ，５ｂの後部の幅が広くされているので、例えば詰め替えパウチ１の開口部３を密閉出来る。開口部３は完全に閉じられ、液は、図中矢印で示すように遮断され、外部に漏出しない。図２（Ｂ）に示すように、開口部３が少し開くように挟み込み部５ａ，５ｂをずらせて取り付けると、流出量を調節して、中身を取り出すことができる。上記「密閉」という用語は、本明細書では、厳密な意味での「完全に閉じる密閉」という意味でなく、パウチが倒れても中身が出ない程度の状況での「密閉、完全に閉じる」という意味で使われている。
【００２０】
溝８ａ、８ｂは、挟み込み部５ａ，５ｂの略中央部分に設けられている。このように構成することにより、図２（Ｃ）に示すように、留め具７を９０度回転させて装着すれば、挟み込み部５ａ，５ｂにある溝８ａ，８ｂが袋１の口の部分を押さえていない状態であるため、袋１の胴部を押すことにより、図中矢印で示すように、中身が押さえられていない部分を通って、中身を一定量取り出すことができる。また、挟み込み部５ａ，５ｂの前部の幅が狭くされているので、液だれしても、留め具７にかかりにくい。なお、上記回転角度は９０度でなくてもよい。
【００２１】
本考案によれば、容器に詰め替える必要がなく、袋のままで使用できるため、詰め替える際に中身をロスすることも無くなる。そのため、廃棄物量の大幅減と、内容物の節約につながるという特有の効果を奏する。本考案の留め具は、パウチを使い切った後も、繰り返し使える。
【００２２】
なお、本実施例では、詰め替えパウチを例示したが、他の袋製品例えば化学調味料の袋、スパゲッティの袋、袋入り味噌、袋入り醤油、袋入り半生ケーキ、袋入りスパイス、袋入りガーリック、袋入り一味唐がらし、袋入り鰹ふりだし、その他一般袋入り商品の袋を開けた後に、その開口部を閉じるという使い方もできる。書類などを綴じる留め具としても応用できる。
【実施例２】
【００２３】
図３（Ａ）は、実施例２に係る留め具の斜視図である。図３（Ａ）に示すように、レバーの部分４ａ，４ｂが、平たく、例えば円板の形状に成形されているので、持ち手の部分が広くなり、ＰＯＰ・デカール等を設けることができる。図３（Ｂ）に示すように、レバーの部分４にＰＯＰ・デカール等を設けて、詰め替え用パウチ１に取り付けることにより、店頭での販促に役立つ。すなわち、宣伝文句や使用方法を需要者に訴えて購買意欲を喚起できる。なお、レバーの部分４ａ，４ｂを平たく成形することは、本考案の必須の構成要素ではない。
【実施例３】
【００２４】
図４は、実施例３に係る留め具の斜視図である。上記実施例では、溝を、挟み込み部の略中央部分に設ける場合を例示したが、この考案はこれに限られるものでなく、図４に示すように、挟み込み部５ａ，５ｂの前部に溝８ａ，８ｂを設けてもよい。このような構成であっても、相当の効果を奏する。
【００２５】
なお、上記実施例では、溝８ａ，８ｂの形状を、幅方向に直線的にまっすぐ延びる場合を例示したが、この考案はこれに限られるものでなく、曲線状に延びるように形成してもよい。
【００２６】
また、上記実施例では、挟み込み部５ａ，５ｂの形状が、平面視で、台形である場合を例示したが、この考案はこれに限られるものでなく、半月状であってもよい。
【００２７】
上記実施例では、留め具の材質として、プラスチックを例示したがこの考案はこれに限られるものでなく、木、金属、ガラス、竹のいずれも可能であり、挟み込み部５ａ，５ｂに滑り止めや緩衝材等を付与しても良い。留め具の材質として、透明プラスチックを用いると、視覚で、留め具合、液の流出の様子を観察できる。さらに、レンズ状に成形すると、留め具合、液の流出の様子を拡大して、観察できる。
【００２８】
また上記実施例では、バネとしてＣ字バネを例示したが、この考案はこれに限られるものでなく、洗濯バサミに使用されているバネはいずれも使用できる。
【００２９】
また、上記実施例では、プラスチック部材７ａ，７ｂをそれぞれ一体化した場合を例示したが、この考案はこれに限定されるものでなく、挟み込み部、可動部、レバー部などの各部品を準備し、これらを接着して形成してもよい。
【００３０】
さらに、上記実施例では、ハーフカット線の付いているタイプのパウチに本考案に係る留め具を使用する場合を例示したが、用途はこれに限られるものでない。ハーフカット線の付いていないタイプのパウチはハサミで開口されるが、そのタイプにも使用可能である。また、開口部が立体的な形状に加工されている場合は、ハーフカット部の反対側をハサミで開口すれば使用可能である。
【００３１】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３２】
本考案の留め具によれば、挟み込み部の後部の幅が広いため、詰め替えパウチ等の袋の開口部を密閉することが可能となり、容器を使用する必要がなく、詰め替える際に中身をロスすることも無くなるため、廃棄物量の大幅減と、内容物の節約につながる。
【符号の説明】
【００３３】
１          詰め替え用パウチ
２          ハーフカット線
３          開口部
４ａ，４ｂ  レバーの部分
５ａ、５ｂ  挟み込み部
６          バネ
７          留め具
７ａ、７ｂ  プラスチック部材
８ａ，８ｂ  溝
ｍ          回動軸
【図１】
0003183396.tif 000003
【図２】
0003183396.tif 000004
【図３】
0003183396.tif 000005
【図４】
0003183396.tif 000006
【図５】
0003183396.tif 000007